(57)【要約】【課題】  小型・コンパクト、低コストで使いやすく安全なピンセット１を提供する。【解決手段】  ピンセット１の先端部と把持部を解放状態からロック状態にしたり、ロックを解除して解放状態に戻したりすることができる固定部１９を有している。この固定部１９は、一方の把持部３ａに設置されており、その内面から突出したり、収納したりする凸状歯２３ｂを有する昇降ラチェット２３と、他方の把持部３ｂの内面１１ｂに設置されており、凸状歯２３ｂと噛合う鉤状フック３３を有するものである。凸状歯２３ｂが、一方の把持部３ａの内面１１ａから突出した状態で、鉤状フック３３と噛合うことによって、ピンセット１は解放状態からロック状態になり、凸状歯２３ｂが、一方の把持部３ａの内面１１ａから収納することによって、鉤状フック３３との噛合が外れロックが解除されて、ピンセット１は解放状態に戻る。【選択図】  図３
2020000315.tif 000002
【特許請求の範囲】
【請求項１】
ピンセットの先端部と把持部を解放状態からロック状態にしたり、ロックを解除して解放状態に戻したりすることができる固定部を有するピンセットであって、
前記固定部は、
一方の把持部に設置されており、該一方の把持部の内面から突出したり、収納したりする凸状歯を有する昇降ラチェットと、
他方の把持部に設置されており、前記凸状歯と噛合う鉤状フックを有するものであり、
前記凸状歯が、前記一方の把持部の前記内面から突出した状態で、前記鉤状フックと噛合うことによって前記ピンセットは解放状態からロック状態になり、
前記凸状歯が、前記一方の把持部の前記内面から収納することによって、前記鉤状フックとの噛合が外れ、ロックが解除されて、前記ピンセットは解放状態に戻るものである
ことを特徴とするピンセット。
【請求項２】
ピンセットの先端部と把持部を解放状態からロック状態にしたり、ロックを解除して解放状態に戻したりすることができる固定部を有するピンセットであって、
前記固定部は、
釦部と、フック部を有するものであり、
前記釦部は、一方の把持部に設置されており、
凸状歯を有する昇降ラチェットと、
前記昇降ラチェットの頂部と嵌合するカバー部と、
前記昇降ラチェットを、一方の把持部の内面から収納される方向に付勢するバネを有し、
前記カバー部を押すことによって、前記凸状歯を前記一方の把持部の前記内面から突出させることができるものであり、
前記フック部は、他方の把持部に設置されており、
前記凸状歯と噛合う鉤状フックを有するものであり、
該鉤状フックは、
前記把持部を押圧することによって、前記一方の把持部の内面を摺動するものであり、
前記釦部を押して、前記一方の把持部の前記内面から前記凸状歯が突出した状態とし、前記把持部を押圧して前記鉤状フックを前記一方の把持部の内面を摺動させ、前記凸状歯と前記鉤状フックとが噛合うことによって、前記ピンセットは解放状態からロック状態になり、
その後、前記把持部を再度わずかに押圧し、前記バネによって前記凸状歯を前記一方の把持部の前記内面から収納させることによって、前記凸状歯と前記鉤状フックとの噛合が外れ、ロックが解除されて、前記ピンセットは解放状態に戻るものである
ことを特徴とするピンセット。
【請求項３】
前記昇降ラチェットは、
複数個の前記凸状歯を有するものである
ことを特徴とする請求項１又は請求項２に記載のピンセット。
【請求項４】
前記昇降ラチェットは、
コイル状のスプリング又は板バネにより付勢されて、前記一方の把持部の内面に収納されるものである
ことを特徴とする請求項１又は請求項２に記載のピンセット。
【請求項５】
前記鉤状フックは、
板バネを介して前記他方の把持部の内面に設置されているものである
ことを特徴とする請求項１又は請求項２に記載のピンセット。
【発明の詳細な説明】
【技術分野】
【０００１】
本発明は、ピンセットに関し、詳細には外科手術等に用いることができるピンセットに関するものである。
【背景技術】
【０００２】
外科手術には、攝子とも呼ばれているピンセットや、鉗子とよばれているハサミ状をした器具が多数使用される。医師は、外科手術中に、いろいろな作業をするためにピンセットや鉗子などの器具から手を離したい場合がある。
【０００３】
鉗子には、ラチェットと称されている固定部を有するものが存在しているものの、そのような固定部を有するようなピンセットは一般的には使用されていないのが現状である。
【０００４】
なお、固定部を備えた外科手術用ピンセットの発明が開示されている（特許文献１）。このピンセットを用いると、医師は手術中に患部などをピンセットで挟んだ状態で先端部をロックして固定できるので大変に便利である。
【０００５】
また、固定部を備えた半導体基板用のピンセットの発明も開示されている（特許文献２）。このピンセットを用いると、半導体基板を挟んだ状態でロックできるので、搬送中に半導体基板がピンセットから外れる可能性を防止できる。
【先行技術文献】
【特許文献】
【０００６】
【特許文献１】特開昭５７−１６８６５１号公報
【特許文献２】特開平４−２０１０７７号公報
【発明の概要】
【発明が解決しようとする課題】
【０００７】
しかしながら、上述した特許文献１に記載の発明において、ピンセットのロック状態を解除するには、一対の把持部をさらに強く押圧し、ロックピンが外れるまでの一定距離を摺動させる必要があった。
【０００８】
すなわち、このピンセットを用いて内臓などの柔らかな患部を挟んだ状態でロックをしてしまうと、ロックを解除するには把持部をさらに強く押圧する必要があるという問題点があった。したがって、このピンセットを用いると、ロックを解除する際において、必要以上に患部を加圧し、その結果、患部を損傷させる可能性があるという安全性上の問題点があった。
【０００９】
加えて、ロック及びロックを解除するための固定部の構造が複雑であり（以下において、ロック及びロックを解除するための部分を単に固定部と呼ぶ場合がある。）、部品数も多く、コスト高になるという問題点もあった。
【００１０】
一方、特許文献２に記載の発明は、円盤状をした半導体基板を搬送するためのピンセットであることから、大型であり、使いにくいという問題点があった。すなわち、小型・コンパクトを要求されるような外科手術用のピンセットとしては、現実的には使用できないという問題点があった。
【００１１】
本発明は、上記した問題点の解決を目的としており、小型・コンパクトで低コストであり、使いやすく、安全なピンセットの提供を目的としている。
【課題を解決するための手段】
【００１２】
上述した課題を解決するために請求項１に記載した発明は、
ピンセットの先端部と把持部を解放状態からロック状態にしたり、ロックを解除して解放状態に戻したりすることができる固定部を有するピンセットであって、
前記固定部は、
一方の把持部に設置されており、該一方の把持部の内面から突出したり、収納したりする凸状歯を有する昇降ラチェットと、
他方の把持部に設置されており、前記凸状歯と噛合う鉤状フックを有するものであり、
前記凸状歯が、前記一方の把持部の前記内面から突出した状態で、前記鉤状フックと噛合うことによって前記ピンセットは解放状態からロック状態になり、
前記凸状歯が、前記一方の把持部の前記内面から収納することによって、前記鉤状フックとの噛合が外れ、ロックが解除されて、前記ピンセットは解放状態に戻るものである
ことを特徴としている。
【００１３】
請求項２に記載した発明は、
ピンセットの先端部と把持部を解放状態からロック状態にしたり、ロックを解除して解放状態に戻したりすることができる固定部を有するピンセットであって、
前記固定部は、
釦部と、フック部を有するものであり、
前記釦部は、一方の把持部に設置されており、
凸状歯を有する昇降ラチェットと、
前記昇降ラチェットの頂部と嵌合するカバー部と、
前記昇降ラチェットを、一方の把持部の内面から収納される方向に付勢するバネを有し、
前記カバー部を押すことによって、前記凸状歯を前記一方の把持部の前記内面から突出させることができるものであり、
前記フック部は、他方の把持部の内面に設置されており、
前記凸状歯と噛合う鉤状フックを有するものであり、
該鉤状フックは、
前記把持部を押圧することによって、前記一方の把持部の内面を摺動するものであり、
前記釦部を押して、前記一方の把持部の前記内面から前記凸状歯が突出した状態とし、前記把持部を押圧して前記鉤状フックを前記一方の把持部の内面を摺動させ、前記凸状歯と前記鉤状フックとが噛合うことによって、前記ピンセットは解放状態からロック状態になり、
その後、前記把持部を再度わずかに押圧し、前記バネによって前記凸状歯を前記一方の把持部の前記内面から収納させることによって、前記凸状歯と前記鉤状フックとの噛合が外れ、ロックが解除されて、前記ピンセットは解放状態に戻るものである
ことを特徴としている。
【００１４】
請求項１及び請求項２に記載された発明を用いると、小型・コンパクトで低コストであり、使いやすく、安全なピンセットの提供をすることができる。
【００１５】
請求項３に記載の発明は、請求項１又は請求項２に記載した発明において、
前記昇降ラチェットは、
複数個の前記凸状歯を有するものである
ことを特徴としている。
【００１６】
請求項３に記載された発明を用いると、ピンセットの先端部や把持部をいろいろな間隔でロックすることができる。
【００１７】
請求項４に記載の発明は、請求項１又は請求項２に記載した発明において、
前記昇降ラチェットは、
コイル状のスプリング又は板バネにより付勢されて、前記一方の把持部の内面に収納されるものである
ことを特徴としている。
【００１８】
請求項４に記載された発明を用いると、小型、コンパクトであり、使い勝手等を要求される手術用として好ましいピンセットを提供することができる。
【００１９】
請求項５に記載の発明は、請求項１又は請求項２に記載した発明において、
前記鉤状フックは、
板バネを介して前記他方の把持部の内面に設置されているものである
ことを特徴としている。
【００２０】
請求項５に記載された発明を用いると、簡単な構造にすることができるので、壊れにくく、低コストなピンセットを提供することができる。
【発明の効果】
【００２１】
本発明を用いると、小型・コンパクトで低コストであり、使いやすく、安全なピンセットを提供することができる。
【図面の簡単な説明】
【００２２】
【図１】本発明に係るピンセット１の概略図である。
【００２３】
（ａ）一方向からの斜視図である（解放状態）。
【００２４】
（ｂ）反対方向からの斜視図である（解放状態）。
【００２５】
（ｃ）先端部と把持部を少し閉じてロックした状態である。
【００２６】
（ｄ）先端部と把持部をさらに閉じてロックした状態である。
【図２】釦部２１の説明図である。
【００２７】
（ａ）釦部２１を構成する部品の分解斜視図である。
【００２８】
（ｂ）把持部３ａに釦部２１を取付けた状態のＡ−Ａ断面図である。
【００２９】
（ｃ）把持部３ａに釦部２１を取付けた状態のＢ−Ｂ断面図である。
【図３】フック部４１の説明図である。
【００３０】
（ａ）フック部３１の斜視図である。
【００３１】
（ｂ）鉤状フック４３近傍のＣ−Ｃ断面図である。
【図４】固定部１９の側面図である。
【００３２】
（ａ）凸状歯２３ｂが把持部３ａの内面１１ａに収納されて、ロックされ
ていない状態である。
【００３３】
（ｂ）凸状歯２３ｂが把持部３ａの内面１１ａから突出され、鉤状フック
３３と噛合ってロックされている状態である。
【００３４】
（ｃ）凸状歯２３ｂが把持部３ａの内面１１ａに収納されて、鉤状フック
３３とのロックが外れた直後の状態である。
【図５】本発明に係るピンセット１の使用方法の説明図である。
【００３５】
（ａ）右手人差指を釦部３１に軽く当接させた状態である。
【００３６】
（ｂ）右手人差指で釦部３１を押しながら把持部３ａ，ｂを押圧してロッ
クをした後に、右手人差指を釦部３１から離間させた状態である。
【００３７】
（ｃ）右手人差指で釦部３１を押しながら、把持部３ａ，ｂをさらに押圧
してロックをした後に、右手人差指を釦部３１から離間させた状態で
ある。
【００３８】
（ｄ）把持部３ａ、ｂを、再度わずかに押圧してロックを解除した直後の
状態である。
【００３９】
（ｅ）ロックを解除した後に、右手人差指を把持部３ａから離間させた状
態である。
【発明を実施するための形態】
【００４０】
以下において、本発明に関わる固定部１９を備えたピンセット１の構造及び使用方法について詳細に説明する（図１〜図５）。このピンセット１は、先端部と把持部を解放状態からロック状態にしたり、ロックを解除して解放状態に戻したりすることができる固定部を有するものである。
（１）ピンセット１の構造（図１）
本発明に関わるピンセット１について説明する（図１）。本発明に関わるピンセット１は、主に医療用として用いられることを目的としているので、その材質として安全で丈夫であり、消毒なども容易な材料、例えば、チタンやステンレスなどの金属材料の使用が好ましい。
【００４１】
本発明に関わるピンセット１は、本体部として一般的に使用されているものと同様に指等で押圧する左右一対の把持部３ａ，ｂと、対象物を挟むための左右一対の先端部５ａ，ｂと、把持部３ａ，ｂをボルト１３ａ，ｂやナット１５ａ，ｂなどで固着するための根本部７を有するものである（図１（ａ））。
【００４２】
本発明に関わるピンセット１は、本体部に加えて、固定部１９として一方の把持部３ａの外面１３ａに釦部２１が、他方の把持部３ｂの内面１１ｂに、フック部３１がそれぞれ設置されていることを特徴とするものである（図１（ａ）、（ｂ））。本実施例では、左右一対の把持部３ａ，ｂを別々に製造し、それぞれに小さな部品である釦部２１やフック部３１を取付けてから、ボルト１３ａ，ｂやナット１５ａ，ｂなどを用いて根本部７で固着して一体化して本体部を組立ている。
【００４３】
このように、ピンセット１の左右の部品を別々に製造した後に、根本部７で一体化することによって組立作業を容易にすることができる。加えて、使用経過とともに釦部２１やフック部３１が変形したり、板バネ３５などの部品に「へたり」などが生じた場合でも、それらの部品の交換作業を容易にすることができる。
【００４４】
ここで、取り外しが可能なボルト１３ａ，ｂやナット１５ａ，ｂに替えて、リベットを用いたり、スポット溶接などによって根本部７で固着することもできる。また、一枚の金属板を加工した後に、釦部２１やフック部３１などの固定部１９を取り付けてから根本部７で折曲げてピンセット１を製造することもできる。加えて、ピンセット１の本体部として、ステンレスやチタンの棒材や板材等から、削出しによって一体化したものを製造することもできる。
【００４５】
本発明に関わるピンセット１は、一対の先端部５ａ，ｂ（以下において、一対の先端部５ａ，ｂを単に先端部と呼ぶ場合がある。）や一対の把持部３ａ，ｂ（以下において、一対の把持部３ａ，ｂを単に把持部と呼ぶ場合がある。）を解放状態（図１（ａ）、（ｂ））からロックをしたり、ロックを解除したりすることができる固定部１９を有することを特徴としている。すなわち、図１（ｃ）は、先端部５ａ，ｂを少し閉じてからロックをした状態であり、図１（ｄ）は、先端部５ａ，ｂをさらに閉じてからロックをした状態である。
【００４６】
なお、本実施例に関わるピンセット１は、医師が外科手術に用いるものであり、患部が損傷しにくいように先端部が略円環状をしているが、先端部が略円盤状のもの、略矩形状のもの、又は尖端状のものなどについても同様に本発明を適用可能なことは言うまでもない。
（２）釦部２１の構造
本実施例で固定部１９を構成する釦部２１は、ピンセット１の一方の把持部３ａに設置されている（図１、図２）。なお、本発明に関わるピンセット１の釦部２１は、一方の把持部の内面から突出したり、収納したりする凸状歯２３ｂを有する昇降ラチェット２３を有するものであり、後述するフック部３１とのロック及びロックの解除をする部分である。
【００４７】
本実施例として固定部１９を構成する釦部２１は、昇降ラチェット２３と、スペーサ部２５と、一対のコイル状をしたスプリング２９ａ，ｂと、カバー部２７とで構成されている。
【００４８】
図２において、昇降ラチェット２３は、把持部３ａの長孔１５ａ内を上下方向（把持部３ａの長さ方向と垂直方向）に自由に移動する部分である。この昇降ラチェット２３は、スペーサ部２５の長孔１５ｂやカバー部の長孔１５ｃと嵌合して固着される頂部２３ａと、後述する鉤状フック３３と噛合う凸状歯２３ｂと、釦部２１が押圧されていない状態において、把持部３ａの内面１１ａと当接した状態で保持される一対の足部２３ｃ、ｄなどで構成される。
【００４９】
本実施例では、鋸刃状をした５個の凸状刃２３ｂを有しており（図２（ａ）、（ｂ））、凸状刃２３ｂのそれぞれは、後述する鉤状フック３３の先端部分と噛合って、ピンセット１の先端部や把持部を５種類の異なる間隔でロックできるようにした。
【００５０】
したがって、ピンセット１の先端部５ａ，ｂがやや開いた状態のままでロックしたいような場合には、図２において右側に位置する凸状刃２３ｂ（ピンセット１の根本部７に近い位置にある凸状刃２３ｂ）を使用する（図１（ｃ））。一方、ピンセット１の先端部５ａ，ｂをさらに閉じた状態でロックしたいような場合には左側の凸状刃２３ｂ（ピンセット１の先端部５ａ，ｂに近い位置にある凸状刃２３ｂ）を使用する（図１（ｄ））。
【００５１】
すなわち、複数個の凸状刃２３ｂを有する昇降ラチェット２３を用いることによって、ロックされるピンセット１の先端部（または把持部）の間隔を調整することができるようにした。
【００５２】
スペーサ部２５は、板状のものであり、昇降ラチェット２３の頂部２３ａと嵌合固着する長孔１５ｂと、バネ、例えば、本実施例ではコイル状をしたスプリング２９ａ，ｂが通過するスプリング孔２６ａ、ｂを有している。
【００５３】
カバー部２７は、板状のものであり、スペーサ部２５と同様に昇降ラチェット２３の頂部２３ａと嵌合固着する長孔１５ｃと、バネ、例えば、本実施例ではコイル状をしたスプリング２９ａ，ｂが外れるのを防止するための座繰穴２８を有している。カバー部２７と昇降ラチェット２３の頂部２３ａとの固着は、取外しが容易なビス（例えば、ボルト−ナット。）を用いることもできる。なお、カバー部２７に厚めの金属板材料を用いることによって、スペーサ部２５を省略することもできる。
【００５４】
スプリング２９ａ，ｂは、カバー部２７の座繰穴２８と、把持部３ａの外面１３ａとの間に固定されて存在する（図２（ｃ））。このスプリング２９ａ，ｂは、上述した昇降ラチェット２３と、スペーサ部２５と、カバー部２７のそれぞれを、把持部３ａから離れる方向の力（図２において、上方向の力）を付勢するものである。すなわち、スプリング２９ａ，ｂは、昇降ラチェット２３を、一方の把持部３ａの内面１１ａから収納される方向に付勢するものである。
【００５５】
そして、釦部２１の上部のカバー部２７を人差指などで押した時にのみ把持部３ａの内面１１ａから凸状歯２３ｂが突出し、カバー部２７から人差指などを離すと、凸状歯２３ｂはスプリング２９ａ，ｂの付勢力によって、把持部３ａの内面１１ａから上方向に収納するようにした（図２（ｂ）、（ｃ））。
【００５６】
カバー部２７、昇降ラチェット２３及び、後述する鉤状フック３３などの小さな部品は、レーザーやワイヤなどを用いて、チタンやステンレスなどの金属板材料を切断・加工をすることによって製造することができる。
【００５７】
本実施例として用いられているコイル状のスプリング２９ａ，ｂに替えて、板バネなどのバネを用いるように設計変更をすることもできる。なお、コイル状のスプリング２９ａ，ｂや板バネなどのバネに替えて、ソレノイドなどの電気部品を用いることも可能ではある。しかしながら、小型、コンパクトで使い勝手を要求される手術用のピンセットとしては、コイル状のスプリングや板バネ等の使用が好ましい。
（３）フック部３１
本実施例でピンセット１の固定部１９を構成するフック部３１は、他方の把持部３ｂに設置されている（図３（ａ））。本実施例であるフック部３１は、鉤状フック３３と、板バネ３５と、板バネ押え３７と、鉤状フック３３と板バネ３５とを固着するリベット３９ａ，ｂと、板バネ押え３７と板バネ３５とを把持部３ｂに固着するリベット３９ｃ、ｄ等で構成されている。なお、リベット３９ａ〜ｄに替えて、ビス（例えば、ボルト−ナット。）や、スポット溶接などでそれぞれを固着することもできる。
【００５８】
鉤状フック３３の先端部分は、上述した昇降ラチェット２３の凸状歯２３ｂと噛合わせることによって、ピンセット１の先端部や把持部をロックするものである。
【００５９】
また、鉤状フック３３の先端部分の厚みを、把持部３ａに形成されている長孔１５ａの短辺巾よりも幅広にした。すなわち、鉤状フック３３は、一方の把持部３ａに形成されている長孔１５ａを跨いだ状態で摺動できるようにした。
【００６０】
したがって、鉤状フック３３は、釦部２１を人差指などで押圧されており、把持部３ａの内面１１ａから凸状歯２３ｂが突出している場合に限って噛合うことができるようにした。
【００６１】
板バネ３５の長さや曲がり角度等は、ピンセット１の使用時において、鉤状フック３３の先端部分が一方の把持部３ａの内面１１ａに当接するようにした。したがって、ピンセット１の把持部を押圧することによって、鉤状フック３３の先端部分は一方の把持部３ａの内面１１ａを先端部に向けて摺動し、把持部の押圧力を緩めたり、解放したりすることによって鉤状フック３３の先端部分は根本部７の方向に摺動する。
【００６２】
鉤状フック３３は、板バネ３５を介して他方の把持部３ｂに設置することによって、簡単な構造にすることができるので、壊れにくく、低コストなピンセット１を提供することができる。
（４）固定部１９の説明
本発明に係るピンセット１は、先端部５ａ，ｂと把持部３ａ，ｂを解放状態からロック状態にしたり、ロック状態を解除して解放状態に戻したりすることができる固定部１９を有するものである。上述したように、本実施例で固定部１９は、釦部２１とフック部３１等で構成される（図２、図３）。
【００６３】
以下において詳述するように、一方の把持部３ａに設置されており、把持部３ａの内面１１ａから突出したり、収納したりする凸状歯２３ｂを有する昇降ラチェット２３と、他方の把持部３ｂに設置されている鉤状フック３３によって、本発明に係るピンセット１は、先端部５ａ，ｂと把持部３ａ，ｂを解放状態からロック状態にしたり、ロック状態を解除して解放状態に戻したりすることができる（図２〜図４）。
【００６４】
図４（ａ）は、ピンセット１の把持部及び先端部が解放されている状態における固定部１９の側面図である（図１（ａ）、（ｂ））。昇降ラチェット２３の凸状歯２３ｂは、把持部３ａの内面１１ａよりも上方に収納されているので、他方の把持部３ｂに設置されている鉤状フック３３と噛合ってロックされることはない。
【００６５】
図４（ｂ）は、ピンセット１の把持部及び先端部がロックされている状態の側面図である（図１（ｄ））。昇降ラチェット２３の凸状歯２３ｂが、一方の把持部３ａの内面１１ａから突出した状態で、鉤状フック３３と噛合うことによってピンセット１は解放状態からロック状態になる。
【００６６】
すなわち、ピンセット１の釦部３１のカバー部２７を右手人差指で押して凸状歯２３ｂが把持部３ａの内面１１ａから突出させた状態にする。次に、把持部を押圧して鉤状フック３３をピンセット１の先端部の方向に摺動させることによって、凸状歯２３ｂと鉤状フック３３とが噛合ようにし、そのままの状態で右手人差指をカバー部２７から離間させてピンセット１をロック状態にする。
【００６７】
図４（ｃ）は、凸状歯２３ｂが、一方の把持部３ａの内面１１ａから収納されることによって、鉤状フック３３との噛合が外れ、ロックが解除された状態である。
【００６８】
すなわち、把持部３ａ，ｂに対して、再度のわずかな押圧によって、鉤状フック３３がピンセット１の先端部の方向にわずかに摺動し（図２（ａ）、（ｂ）に示される複数の凸状刃２３ｂの間隔程度のわずかな摺動。具体的には１ｍｍ程度のわずかな摺動。）、その直後に上述したスプリング２９ａ，ｂによって、凸状歯２３ｂが一方の把持部３ａの内面１１ａから収納される（図４（ｃ））。凸状歯２３ｂが、一方の把持部３ａの内面１１ａから収納されることによって、鉤状フック３３との噛合が外れてロックが解除される。その結果、ピンセット１は解放状態に戻ることができる（図１（ａ）、（ｂ））。
【００６９】
上述したように、本発明に係るピンセット１は、片手（本実施例では右手。）で先端部５ａ，ｂと把持部３ａ，ｂを解放状態からロック状態にしたり、ロックを解除して解放状態に戻したりすることができる固定部１９を有するものである。その固定部１９は、一方の把持部３ａに設置されており、把持部３ａの内面１１ａから突出したり、収納したりする凸状歯２３ｂを有する昇降ラチェット２３と、他方の把持部３ｂに設置されており、凸状歯２３ｂと噛合う鉤状フック３３を有するものである。そして、凸状歯２３ｂが、一方の把持部３ａの内面１１ａから突出した状態で、鉤状フック３３と噛合うことによってピンセット１は解放状態からロック状態になる。また、凸状歯２３ｂが、一方の把持部３ａの内面１１ａから収納することによって、鉤状フック３３との噛合が外れ、ロックが解除されて、ピンセット１は解放状態に戻ることができる。
【００７０】
本発明に係るピンセット１を用いると、片手で先端部の間隔を自由に調整した状態でロックできるとともに、容易にロックを解除して解放状態に戻すことができる。したがって、医師による手術中において、ピンセット１のロックを解除する際に、その先端部によって患部を過度に加圧することもなく、安全に使用することができる。
（５）使用方法
本発明に係るピンセット１の使用方法を説明する（図５）。
【００７１】
図５（ａ）は、ピンセット１の釦部３１のカバー部２７に右手人差指を軽く当接させた状態であり、把持部及び先端部は解放されている状態である（図１（ａ）、（ｂ）、図４（ａ））。
【００７２】
図５（ｂ）は、ピンセット１の釦部３１のカバー部２７を右手人差指で押しながら把持部３ａ，ｂを押圧した後に、釦部３１から右手人差指を離間させた状態である。ピンセット１の把持部や先端部が少し閉じた状態のままロックされている（図１（ｃ））。
【００７３】
図５（ｃ）は、ピンセット１の釦部３１のカバー部２７を右手人差指で押しながら、把持部３ａ，ｂをさらに押圧した後に、釦部３１から右手人差指を離間させた状態である。ピンセット１の把持部や先端部がさらに閉じた状態（把持部や先端部の間隔がさらに狭くなった状態）のままロックされている（図１（ｄ）、図４（ｂ））。
【００７４】
図５（ｄ）は、ピンセット１の釦部３１の右側（根本部７に近い部分）の把持部３ａに右手人差指を当接し、再度わずかに押圧してロックを解除した状態である（図４（ｃ））。
【００７５】
図５（ｅ）は、図５（ｄ）の後にピンセット１の把持部３ａから右手人差指を離間させた状態である。ピンセット１の把持部及び先端部は、ロックが解除されて解放状態に戻る（図１（ａ）、（ｂ）、図４（ａ））。
【００７６】
本発明に係わるピンセット１を用いると、片手（本実施例では右手）で先端部の間隔を調整しながら容易にロックをしたり、ロックを解除したりすることができる。加えて、本発明を用いると、小型・コンパクトで低コストであり、安全で使いやすいピンセット１を提供することができる。
【産業上の利用可能性】
【００７７】
本発明は、医療用のピンセットに加えて、日常用のピンセットとしても利用することができる。
【符号の説明】
【００７８】
１  ピンセット
３ａ，ｂ  把持部
５ａ，ｂ  先端部
７  根本部
９ａ  ボルト
９ｂ  ナット
１１ａ，ｂ  内面
１３ａ，ｂ  外面
１５ａ，ｂ，ｃ  長孔
１９  固定部
２１  釦部
２３  昇降ラチェット
２３ａ  頂部
２３ｂ  凸状歯
２３ｃ，ｄ  足部
２５  スペーサ部
２６ａ，ｂ  スプリング孔
２７  カバー部
２８  座繰穴
２９ａ，ｂ  スプリング
３１  フック部
３３  鉤状フック
３５  板バネ
３７  板バネ押え
３９ａ〜ｄ  リベット
４１  右手
【図１】
2020000315.tif 000003
【図２】
2020000315.tif 000004
【図３】
2020000315.tif 000005
【図４】
2020000315.tif 000006
【図５】
2020000315.tif 000007
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
ピンセットの先端部と把持部を解放状態からロック状態にしたり、ロックを解除して解放状態に戻したりすることができる固定部を有するピンセットであって、
前記固定部は、
一方の把持部に設置されており、該一方の把持部の内面から突出したり、収納したりする凸状歯を有する昇降ラチェットと、
他方の把持部に設置されており、前記凸状歯と噛合う鉤状フックを有するものであり、
前記凸状歯が、前記一方の把持部の前記内面から突出した状態で、前記鉤状フックと噛合うことによって前記ピンセットは解放状態からロック状態になり、
前記凸状歯が、前記一方の把持部の前記内面から収納することによって、前記鉤状フックとの噛合が外れ、ロックが解除されて、前記ピンセットは解放状態に戻るものである
ことを特徴とするピンセット。
【請求項２】
前記昇降ラチェットは、
複数個の前記凸状歯を有するものである
ことを特徴とする請求項１に記載のピンセット。
【請求項３】
前記昇降ラチェットは、
コイル状のスプリング又は板バネにより付勢されて、前記一方の把持部の内面に収納されるものである
ことを特徴とする請求項１に記載のピンセット。
【請求項４】
前記鉤状フックは、
板バネを介して前記他方の把持部の内面に設置されているものである
ことを特徴とする請求項１に記載のピンセット。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
請求項１に記載された発明を用いると、小型・コンパクトで低コストであり、使いやすく、安全なピンセットの提供をすることができる。
【手続補正４】
【補正対象書類名】明細書
【補正対象項目名】００１５
【補正方法】変更
【補正の内容】
【００１５】
請求項２に記載の発明は、請求項１に記載した発明において、
前記昇降ラチェットは、
複数個の前記凸状歯を有するものである
ことを特徴としている。
【手続補正５】
【補正対象書類名】明細書
【補正対象項目名】００１６
【補正方法】変更
【補正の内容】
【００１６】
請求項２に記載された発明を用いると、ピンセットの先端部や把持部をいろいろな間隔でロックすることができる。
【手続補正６】
【補正対象書類名】明細書
【補正対象項目名】００１７
【補正方法】変更
【補正の内容】
【００１７】
請求項３に記載の発明は、請求項１に記載した発明において、
前記昇降ラチェットは、
コイル状のスプリング又は板バネにより付勢されて、前記一方の把持部の内面に収納されるものである
ことを特徴としている。
【手続補正７】
【補正対象書類名】明細書
【補正対象項目名】００１８
【補正方法】変更
【補正の内容】
【００１８】
請求項３に記載された発明を用いると、小型、コンパクトであり、使い勝手等を要求される手術用として好ましいピンセットを提供することができる。
【手続補正８】
【補正対象書類名】明細書
【補正対象項目名】００１９
【補正方法】変更
【補正の内容】
【００１９】
請求項４に記載の発明は、請求項１に記載した発明において、
前記鉤状フックは、
板バネを介して前記他方の把持部の内面に設置されているものである
ことを特徴としている。
【手続補正９】
【補正対象書類名】明細書
【補正対象項目名】００２０
【補正方法】変更
【補正の内容】
【００２０】
請求項４に記載された発明を用いると、簡単な構造にすることができるので、壊れにくく、低コストなピンセットを提供することができる。